(57)【要約】【課題】螺子穴への雨水等の侵入を簡単且つ確実に防止可能な建設機械のカウンタウエイトを提供する。【解決手段】建設機械のカウンタウエイトは、ウエイト本体（２）の上面（２ａ）から突設された円筒状のボス（８）と、このボス（８）に脱着可能に被せられた円筒状のキャップ（１２）とを備え、キャップ（１２）はボス（８）の螺子穴（１０）に螺合される雄螺子（１４）と、ボス（８）の突出端面（８ａ）及び外周面（８ｂ）を覆う内端面及び内周面を有する。【選択図】図３
2008255698.tif 000002
【特許請求の範囲】
【請求項１】
建設機械の後部に装着され、吊具を使用して脱着可能なカウンタウエイトにおいて、
ウエイト本体と、
前記ウエイト本体の下面を除く外面から所定の長さだけ突設され、外部に露出した突出端面及び外周面を有するボスと、
前記ボスの前記突出端面に設けられ、前記吊具が螺合される螺子穴と、
内部に前記ボスの螺子穴に螺合可能な雄螺子を有し、前記ボスにおける前記突出端面及び前記外周面を覆うキャップと
を具備したことを特徴とする建設機械のカウンタウエイト。
【請求項２】
前記ボスは前記ウエイト本体の上面に一対設けられていることを特徴とする請求項１に記載の建設機械のカウンタウエイト。
【請求項３】
前記キャップは一端及び他端が開口端及び閉塞端にそれぞれ形成された筒状をなし、前記閉塞端は前記雄螺子を備えた内端面を有し、この内端面から前記キャップの前記開口端までの長さが前記ボスの突出長さに一致していることを特徴とする請求項１又は２に記載の建設機械のカウンタウエイト。
【請求項４】
前記キャップは少なくとも前記閉塞端の内端面が弾性部材から形成されていることを特徴とする請求項３に記載の建設機械のカウンタウエイト。
【発明の詳細な説明】
【技術分野】
【０００１】
本発明は、油圧ショベル等の建設機械がその後部に備えているカウンタウエイトに関する。
【背景技術】
【０００２】
このカウンタウエイトは、ウエイトシェル内にセメント等の重い充填材を充填したウエイト本体を備え、このウエイト本体はその上面に一対の雌ねじ部材を有し、通常、これら雌ねじ部材にはフランジ付きプラグが螺合された状態にある（例えば、特許文献１，図７，図１０参照）。
上述したカウンタウエイトはその雌ねじ部材を使用することで建設機械の後部に脱着可能に装着される。具体的には、カウンタウエイトの装着時や交換時、各フランジ付きプラグはその雌ねじ部材からそれぞれ取り外され、この後、これら雌ねじ部材にフック係合部材がそれぞれ螺合される。それ故、これらフック係合部材にフック等の吊具を係合させることで、カウンタウエイトの吊持が可能となり、建設機械の後部へのカウンタウエイトの装着やその交換を容易に行うことができる。
【特許文献１】特開2001-323515号公報
【発明の開示】
【発明が解決しようとする課題】
【０００３】
特許公報のカウンタウエイトの場合、フランジ付きプラグの目的は雌ねじ部材が雨や雪等に晒されるとしても、雌ねじ部材内への雨水等の侵入を防止することにあるものの、外側に露出する雌ねじ部材の外端面は加工コスト等の会見でその表面粗さが粗い。
それ故、雌ねじ部材にフランジ付きプラグが螺合され、たとえ、そのフランジが雌ねじ部材の外端面に重なり合っていたとしても、フランジと雌ねじ部材の外端面との間の隙間を通じて雨水等が染み込み易く、雌ねじ部材内、つまり、その螺子穴内への雨水等の侵入を確実に避けることができない。このような雨水等の侵入は螺子穴に早期の腐食をもたらし、その耐久性を長期に亘って維持することができない。
【０００４】
本発明は上述の事情に基づいてなされたもので、その目的とするところは、簡単な構成にしてボスの螺子穴内への雨水等の侵入を確実に防止でき、その耐久性を長期に亘って維持することができる建設機械のカウンタウエイトを提供することにある。
【課題を解決するための手段】
【０００５】
上記の目的を達成するため、本発明の建設機械のカウンタウエイトは、ウエイト本体と、このウエイト本体の下面を除く外面から所定の長さだけ突設され、外部に露出した突出端面及び外周面を有するボスと、このボスの突出端面に設けられ、吊具が螺合される螺子穴と、内部にボスの螺子穴に螺合可能な雄螺子を有し、ボスにおける突出端面及び外周面を覆うキャップとを備える（請求項１）。
【０００６】
上述した請求項１のカウンタウエイトによれば、ウエイト本体の外面から露出するボスの露出部位、即ち、その突出端面及び外周面は通常、キャップにより覆われているで、カウンタウエイトが雨や雪等に晒されても、ボスの自体に雨水等が付着することはない。また、ボスはウエイト本体の外面から突設されているので、ウエイト本体の外面に付着した雨水がボスの突出端面まで伝わる虞もなく、キャップはボスの螺子穴を雨水等の侵入から保護する。
【０００７】
具体的には、ボスはウエイト本体の上面に一対設けられており（請求項２）、そして、キャップは、一端及び他端が開口端及び閉塞端にそれぞれ形成された筒状をなし、この閉塞端は前記雄螺子を備えた内端面を有し、この内端面からキャップの一端開口までの長さがボスの突出長さに一致しているのが好ましい（請求項３）。
この場合、ボスの螺子穴にキャップの雄螺子を螺合させて、ボスがキャップにより覆われたとき、キャップの内端面及び開口端はボスの突出端面及びウエイト本体の外面にそれぞれ密着するように重ね合わされ、キャップの内端面とボスの突出端面との間並びにキャップの開口端とウエイト本体の外面との間はそれぞれシールされる。
【０００８】
更に好ましくは、キャップは少なくとも閉塞端の内端面が弾性部材から形成されており（請求項４）、この場合、キャップの内端面とボスの突出端面との間のシール性は更に高くなる。
【発明の効果】
【０００９】
請求項１〜４の建設機械のカウンタウエイトは、ウエイト本体の外面からボスを突設させ、ボスの螺子穴にその雄螺子を螺合させた状態で、ボスの突出端面及び外周面を共にキャップにより覆っているから、ボスの螺子穴内へ雨水等の侵入はキャップにより確実に防止される。この結果、螺子穴が雨水等によって腐食されることはなく、その耐久性を長期に亘って維持することができる。
【発明を実施するための最良の形態】
【００１０】
図１及び図２は、油圧ショベル等の建設機械（図示しない）の後部に装着されカウンタウエイトを示す。
カウンタウエイトはウエイト本体２を備え、このウエイト本体２は鋼板からなるアウタシェル４と、このアウタシェル４内に充填されたコンクリート等の重量物６からなる。
ウエイト本体２は建設機械の幅方向に延び、例えば、その上面２ａには一対のボス８が備えられている。これらボス８は金属からなる円筒形状をなし、建設機械の幅方向に互いに離間する一方、ウエイト本体２に一体的に結合された状態にある。
【００１１】
図３から明らかなように各ボス８はウエイト本体２の上面２ａから所定の突出長さＬｂだけ突出し、ウエイト本体２から露出した突出端面８ａ及び外周面８ｂを有する。突出端面８ａには螺子穴１０が開口しており、この螺子穴１０はボス８の軸線上を突出端面８ａから所定の長さだけ延びている。
各ボス８には鋼製のキャップ１２が被せられており、このキャップ１２はボス８の露出部位、即ち、突出端面８ａ及び外周面８ｂをそれぞれ覆っている。より詳しくは、キャップ１２は下端が開口端１２ａに形成され、且つ、上端が閉塞端１２ｂとして形成された扁平な円筒形状をなし、閉塞端１２ｂの内端面からは雄螺子１４が同心にして突出されている。雄螺子１４はキャップ１２の閉塞端１２ｂがボス８の突出端面８ａに当接するまで、ボス８の螺子穴１０に螺合つまりねじ込まれている。
【００１２】
更に、キャップ１２の内径はボス８の外径よりも僅かに大きく、そして、キャップ１２の内端面から開口端１２ａまでの長さＬｃは前述したボス８の突出長さＬｂに一致している。従って、キャップ１２がボス８の露出部位に被せられたとき、図３から明らかなようにキャップ１２の内端面、内周面及び開口端１２ａはボス８の突出端面８ａ、外周面８ｂ及びウエイト本体２の上面２ａのそれぞれに密着するように重ね合わされる。
【００１３】
カウンタウエイトが建設機械の後部に装着される際や、また、カウンタウエイトが交換される際は、上述したキャップ１２はウエイト本体２のボス８からそれぞれ取り外され、これらボス８の螺子穴１０にアイボルト等の吊具（図示しない）が螺合される。そして、このような吊具にフックを係止すれば、カウンタウエイトの吊持が可能となり、カウンタウエイトの装着や交換作業を容易に行うことができる。
【００１４】
しかしながら、建設機械へのカウンタウエイトの装着後、そのウエイト本体２の各ボス８には図３に示されるようにキャップ１２がそれぞれ被せられており、建設機械、即ち、カウンタウエイトが雨や雪等に晒されても、これら雨や雪等からボス８の螺子穴１０はキャップ１２により保護され、螺子穴１０内に雨水等が侵入することはない。
それ故、螺子穴１０が雨水等により腐食されてしまうことはなく、その耐久性を長期に亘って確保することができる。
【００１５】
また、ボス８はウエイト本体２の上面２ａから突出した状態にあるので、ボス８周囲の上面２ａに雨や雪等が滞留したとしても、雨水等がボス８の突出端面８ａに達することはなく、しかも、キャップ１２の開口端１２ａ及び内周面はウエイト本体２の上面２ａ及びボス８の外周面８ｂに密着した状態にあるから、突出端面８ａ、即ち、螺子穴１０に対するキャップ１２のシール性は高く、螺子穴１０内への雨水等の侵入を確実に阻止することができる。
【００１６】
この点、図３中に突出端面８ａの一部を拡大して示すように、突出端面８ａはボス８を形成する円筒鋼材を単に切断加工して得られているから、その表面粗さは粗い。それ故、突出端面８ａまで雨水等が一旦侵入すれば、突出端面８ａの乾燥までに長時間を要することから、螺子穴１０内は高い湿気に長期に亘って晒されることになるが、このような不具合もまた上述のキャップ１２は確実に防止する。
【００１７】
本発明は上述の一実施例に制約されるものではなく、種々の変形が可能である。
図４に示したキャップ１２の内端面は弾性材料からなるシート状のシール１６によって形成されており、このシール１６は雄螺子１４を囲んでいる。このようなシール１６がキャップ１２に備えられていれば、ボス８の突出端面８ａに対するキャップ１２のシール性が向上し、ボス８の螺子穴１０はその腐食からより確実に防止される。この場合、シール１６から開口端１２ａまでの長さＬｃはボス８の突出長さＬｂよりも僅かに短くされている。
【００１８】
また、図５に示したキャップ１２はその内端面のみならず、内周面及び開口端１２ａもまた、弾性材料からシール１８によって形成され、このシール１８はキャップ１２のシール性を更に向上させる。この場合、シール１８の内径はボス８の外径に実質的に等しく、ＬｃはＬｂよりも僅かに短い。
更に、ボス８はウエイト本体２の上面２ａに限らず、その下面以外の外面であれば、何処に配置してもよいし、ボス８及びキャップ１２の形状は円筒状に限られるものでもない。
【図面の簡単な説明】
【００１９】
【図１】一実施例のカウンタウエイトの後面図である。
【図２】図１のカウンタウエイトの側面図である。
【図３】図１中のIII部の拡大図である。
【図４】変形例のキャップを示した断面図である。
【図５】他の変形例のキャップを示した断面図である。
【符号の説明】
【００２０】
２              ウエイト本体
８              ボス
８ａ            突出端面
８ｂ            外周面
１０            螺子穴
１２            キャップ
１２ａ          開口端
１２ｂ          閉塞端
１４            雄螺子
Ｌｂ            突出長さ
１６，１８      シール（弾性部材）
【図１】
2008255698.tif 000003
【図２】
2008255698.tif 000004
【図３】
2008255698.tif 000005
【図４】
2008255698.tif 000006
【図５】
2008255698.tif 000007